(57)【特許請求の範囲】
【請求項１】
軟質合成樹脂シート製で、対向する２側壁と、両側壁の上縁に連設された上壁と、両側壁の下縁に連設された下壁と、両側壁の後縁に連設された後壁と、一方の側壁の前縁に連設されたフラップとを備え、一端面を開閉部とした直方体状の箱において、
前記開閉部は、前記フラップとこのフラップを前記フラップが連設された側壁と対向する側壁の端部に固定するための固定具で構成され、
前記両側壁の前縁は下方が突出した傾斜縁とし、
前記フラップの上縁及び下縁は前記側壁の上縁及び下縁と段差なく連続し、
前記フラップの対向する上下の二縁は同じ曲率で上向きに湾曲させ、フラップの端部側の閉鎖時に側壁に重なる部分において上下縁は直線をなし側壁の上下縁と一致するようにし、
開閉部の閉鎖時にフラップの外面が平面視半円状をなし、側壁側からの観察において上向きの傾斜面を形成するようにした、包装用箱
【請求項２】
上壁及び下壁のフラップ側端縁に折り曲げ線を介して半円状の補助片が連設され、開閉部の閉鎖時に前記補助片の周縁がフラップの内面に弾性的に接触するようにした、請求項１記載の包装用箱
【発明の詳細な説明】
【技術分野】
【０００１】
この発明は、下着や靴下などの被服類、ハンカチなどの身の回り品などの商品を包装し、店頭に展示し販売する際に使用される包装用箱に関するものである。
【背景技術】
【０００２】
下着や靴下などの被服類、ハンカチなどの身の回り品などの商品は、袋や箱に包装して展示、販売されている。
商品を包装する箱においては、商品名などは通常箱の側面又は正面側の端面に表示されている。したがって、商品が比較的高い位置に陳列されている場合は、需要者は立ち位置で箱に表示された商品名などを認識することができるが、商品が低い位置に陳列されている場合は、かがまなければ商品名などを認識することができない。
特に、コンビニエンスストアでは陳列棚の高さが低い傾向があり、商品名などを確認するためにかがまなければならない場合が多い。しかし、販売者としては、顧客である需要者をかがませることは好ましくない。
【０００３】
箱の端面を傾斜面とした発明として、特開平１１−１６５７２８号の発明がある。この発明は、縦長直方体状の箱において、対向する側面の上縁を傾斜させ、開閉部のフラップを前記傾斜した縁に沿わせて屈曲させることにより、フラップを傾斜させたものである。
【特許文献１】特開平１１−１６５７２８号公報
【０００４】
また包装用の箱は、商品の取り扱いの便を図るほか、商品を清潔に保持することも重要な機能である。特にコンビニエンスストアは百貨店や専門店等と比べてほこりが多く、ほこりが箱の中に入らないように工夫する必要がある。他方、包装作業を考えた場合、開閉部の構造を複雑にすることはできない。
【発明の開示】
【発明が解決しようとする課題】
【０００５】
この発明は、商品が低い位置に陳列されているときにも箱の端面に表示された商品名などを認識しやすい包装用箱を得ることを第一の課題とし、箱の中にほこりが入りにくく、かつ包装作業（開閉部の閉鎖作業）が容易な包装用箱を得ることを第二の課題とするものである。
【課題を解決するための手段】
【０００６】
この発明の包装用箱は、軟質合成樹脂シート製で、対向する２側壁と、両側壁の上縁に連設された上壁と、両側壁の下縁に連設された下壁と、両側壁の後縁に連設された後壁と、一方の側壁の前縁に連設されたフラップとを備え、一端面を開閉部とした直方体状の箱において、前記開閉部は、前記フラップとこのフラップを前記フラップが連設された側壁と対向する側壁の端部に固定するための固定具で構成し、前記両側壁の前縁は下方が突出した傾斜縁とし、前記フラップの上縁及び下縁は前記側壁の上縁及び下縁と段差なく連続し、前記フラップの対向する上下の二縁は同じ曲率で上向きに湾曲させ、フラップの端部側の閉鎖時に側壁に重なる部分において上下縁は直線をなし側壁の上下縁と一致するようにし、開閉部の閉鎖時にフラップの外面が平面視半円状をなし、側壁側からの観察において上向きの傾斜面を形成するようにして構成する。
【０００７】
この発明において、素材を軟質合成樹脂シートとした理由は、開閉部の閉鎖時にフラップを平面視半円状にカールさせるためである。したがって、フラップがカールしえる素材であれば合成樹脂の材質は問わない。また単層でも複層でもよく、アルミや薄紙を層着した複合シートでもよい。
前記固定具は、フラップの先端部を箱の側壁に固定し得るものであればよく、実施例に示す小鉤状の係止片と係止溝の組合せの他、フラップの先端部と箱の側壁に面ファスナーを取り付けた構成なども採用できるが、閉鎖時にフラップは弾性により開放側に戻る力が働くので、この力に対抗して閉鎖状態を保持しえる構造とする必要がある。
前記フラップの二縁を湾曲させる構成としたのは、開閉部の閉鎖時にカールさせたフラップの上下縁を水平とするためである。したがって、湾曲の度合いは開閉部の幅及び希望する傾斜角度をもとに定めることとなる。そして、フラップの先端側は側壁の上下縁と重なるよう、湾曲させずに直線縁として構成することが好ましい。
【０００８】
請求項２の発明は、上壁及び下壁のフラップ側端縁に折り曲げ線を介して半円状の補助片を連設し、開閉部の閉鎖時に前記補助片の周縁がフラップの内面に弾性的に接触するようにしたものである。
【発明の効果】
【０００９】
この発明によれば、開閉部のフラップを上向きに湾曲させたので、このフラップをカールさせてその先端部を側壁に固定することにより、フラップの外面が平面視半円状をなし、側壁側から観察したときに上向きの傾斜面を形成する。したがって、フラップに商品名などを表示すると、これを上方から認識することができるので、需要者はかがまなくとも低い位置にある商品の商品名などを確認することができる。
また、請求項２の発明によれば、半円状の補助片を箱の内側に向けて折り曲げた状態でフラップをカールさせて開閉部を閉じると、補助片は弾性によって復元方向に移動するのでその周縁がフラップの内面に弾性的に接触する。その結果、カールしたフラップの上部及び下部は補助片によって閉鎖されるので、箱の中へのほこりの進入を防止することができる。
【発明を実施するための最良の形態】
【００１０】
図１はこの発明の包装用箱の組立前の状態、図２は開閉部を開放させた状態を示すものである。側壁１の上縁に折り目線を介して上壁２が、下縁に折り目線を介して下壁３がそれぞれ連設してあり、前記上壁２に折り目線を介して側壁４が連設してあり、前記下壁３の端縁部と側壁４の接着しろ部分とが熱溶着により固着されて、胴部Ａを構成している。
図中符号５は胴部Ａの後端を閉塞する後壁、符号６は後壁５を閉塞状態に保持する係止片、符号７は補助片である。
【００１１】
前記胴部Ａの前端の開閉部の構成は以下のとおりである。
前記側壁１の前方の端縁８は下方が突出した傾斜縁としてあり、この端縁８にフラップ９が連設してあり、前記端縁８には折り目線は設けてない。このフラップ９の上縁１０及び下縁１１は前記側壁の上縁及び下縁と段差なく連続しており、その基部側は上下縁は同じ曲率で上方に向けて湾曲している。そして、フラップ９の端部側、閉鎖時に側壁４に重なる部分において上下縁は直線をなして、側壁４の上下縁と一致するようにしてある。
【００１２】
前記フラップ９の端部には３つの小鉤状部１２が打ち抜きにより形成されており、側壁４には前記小鉤状部１２が係止する係止溝１３が設けてある。前記小鉤部１２はフラップ９の基部側が打ち抜かれている。これら小鉤状部１２及び係止溝１３の位置は、フラップ９をカールさせて胴部Ａの前方開口部を閉鎖したときに、フラップ９の外面が平面視半円状をなし（図３参照）、側壁側から観察したときに向きの傾斜面を形成する（図４参照）ように選定する。
前記上壁２及び下壁３の前方端縁には折り曲げ線を介して補助片１４，１５が連設してある。これら補助片１４，１５は半円状であって、その周縁がカールさせたフラップ９の内面に弾性的に接触する大きさ、形状としてある。
図中符号１６は商品名などの表示部である。
【００１３】
上記実施形態の箱は、後壁５、係止片６、補助片７を折り曲げて胴部Ａの後端開口部を閉鎖し、胴部Ａに商品を収納し、次いで前方開口部において補助片１４，１５を胴部側に若干折り曲げ、フラップ９をカールさせて小鉤部１２を係止溝１３に係止させて開口部を閉鎖して使用する。
ここで、側壁１の前方縁８は下方が突出して上向きに傾斜しており、フラップ９の上下縁は上向きに湾曲しているので、閉じられた状態においてフラップ９の外面は、平面視において半円状にカールし、側壁側から観察したときに上向きの傾斜をなしている。したがって、表示部１６に表された商品名などを上方から認識することができる。また、この実施形態ではフラップの基部側が打ち抜かれた小鉤状部１２を係止溝１３に係止させる構造としてあるので、フラップ９に復元力が働くと小鉤部の係止は一層強固となり、係止が外れるおそれがない。
【００１４】
また、半円状の補助片１４，１５を設けてこれらの周縁がフラップ９の内面に弾性的に接触するようにしたので、半円形に開放されているカールしたフラップ９の上下を、簡易な構造で閉鎖することができ、ほこりの侵入を防止することができる。
【産業上の利用可能性】
【００１５】
この発明は、包装用箱の前方端面を上向き傾斜として、ここに表示された商品名などを上方から認識することができるものであって、産業上の利用可能性を有するものである。
【図面の簡単な説明】
【００１６】
【図１】この発明実施形態の展開状態の正面図
【図２】同じく前部が開放した状態の側壁４側斜視図
【図３】同じく前方を閉鎖した状態の斜視図
【図４】同じくフラップと補助片の関係を示す断面図
【図５】同じく前部が開放した状態の側壁１側斜視図
【符号の説明】
【００１７】
Ａ    胴部
１    側壁
２    上壁
３    下壁
４    側壁
５    後壁
６    係止片
７    補助片
８    前縁
９    フラップ
１０  上縁
１１  下縁
１２  小鉤状部
１３  係止溝
１４  補助片
１５  補助片
１６  表示部
【図１】
0004806284.tif 000002
【図２】
0004806284.tif 000003
【図３】
0004806284.tif 000004
【図４】
0004806284.tif 000005
【図５】
0004806284.tif 000006